【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
椅子に装着される頭部保持具であって、
頭を支持する上段ブロックと、該上段ブロックの下部に位置し、首を支持する下段ブロックとを含み、
前記上段ブロックと前記下段ブロックは、相対移動が可能であり、
前記上段ブロックは、上段フレームと、前記上段フレームに結合される緩衝部材とを含み、
前記下段ブロックは、下段フレームと、前記下段フレームに結合される緩衝部材とを含むことを特徴とする頭部保持具。
【請求項２】
前記上段ブロックは、前記上段フレームに結合される緩衝部材とを さらに 含み、
前記下段ブロックは、前記下段フレームに結合される緩衝部材とを  さらに 含むことを特徴とする 請求項１に記載の頭部保持具。
【請求項３】
前記上段ブロックまたは前記下段ブロックは、左側ブロック及び右側ブロックで形成され、
前記左側ブロック及び前記右側ブロックの左右幅を調節する左右調節手段を含むことを特徴とする 請求項１に記載の頭部保持具。
【請求項４】
前記上段ブロックは、右側上段ブロックと左側上段ブロックとを含み、
前記右側上段ブロックは、右側上段フレームと、前記右側上段フレームに結合される緩衝部材とを含み、
前記左側上段ブロックは、左側上段フレームと、前記左側上段フレームに結合される緩衝部材とを含み、
前記下段ブロックは、右側下段ブロックと左側下段ブロックとを含み、
前記右側下段ブロックは、右側下段フレームと、前記右側下段フレームに結合される緩衝部材とを含み、
前記左側下段ブロックは、左側下段フレームと、前記左側下段フレームに結合される緩衝部材とを含むことを特徴とする 請求項３に記載の頭部保持具。
【請求項５】
前記下段ブロックは、一部が前記上段ブロックより前方に突出し、
前記上段ブロックは、上段フレームと、前記上段フレームに結合される緩衝部材とを さらに 含み、
前記下段ブロックは、下段フレームと、前記下段フレームに結合される緩衝部材とを さらに含むことを特徴とする 請求項１に記載の頭部保持具。
【請求項６】
前記上段ブロックは、使用者の頭が保持されるように前方に凹状に凹部が形成され、
前記下段ブロックは、使用者の首が保持されるように前方に凹状に凹部が形成されることを特徴とする請求項１に記載の頭部保持具。
【請求項７】
前記上段ブロックは、使用者の頭が保持されるように前方に凹状に凹部が形成され、
前記下段ブロックは、使用者の首が保持されるように前方に凹状に凹部が形成されることを特徴とする請求項５に記載の頭部保持具。
【請求項８】
前記上段ブロックと前記下段ブロックを前後方向に相対移動するようにスライディングさせる前後調節手段をさらに含むことを特徴とする請求項１に記載の頭部保持具。
【請求項９】
前記上段ブロックの一部または前記下段ブロックの一部のうちいずれか一方には、前後スライディング突起が設けられ、他方には、前記前後スライディング突起が挿入されてガイドされる前後スライディング溝が前後方向に長く形成され、
前記上段ブロックと前記下段ブロックを前後方向に相対移動するようにスライディングさせる前後調節手段をさらに含むことを特徴とする請求項８に記載の頭部保持具。
【請求項１０】
前記前後調節手段は、
前記上段フレームに結合される前後調節ラックギアと 前記前後調節ラックギアと
噛合する前後調節ピニオンギアを含み、
前記前後調節ピニオンギアの回転によって 前記上段フレームが 前後方向に移動することを特徴とする請求項９に記載の頭部保持具。
【請求項１１】
前記左右調節手段は、
２つのスクリューギアが各々反対方向に内周面に形成され、前記右側上段フレームまたは右側下段フレーム及び前記左側上段フレームまたは左側下段フレームに各々結合される左右調節突出部と、
前記左右調節突出部のスクリューギアと噛合するスクリューギアが外周面に設けられた左右調節棒と、を含み、
前記左右調節棒の回転によって前記左右調節突出部が互いに反対方向に移動することを特徴とする請求項３に記載の頭部保持具。
【請求項１２】
前記下段ブロックの下部には、高さ調節ラックギアが垂直に結合され、
前記高さ調節ラックギアは、高さ調節ピニオンギアと噛合し、前記高さ調節ピニオンギアの回転によって前記下段ブロックが上下に移動することを特徴とする請求項１に記載の頭部保持具。
【請求項１３】
前記上段ブロック及び前記下段ブロックが搭載されるメインフレームをさらに含み、
前記下段ブロック及び前記メインフレームには、互いに対応する位置に上下貫通孔が各々形成され、
前記前後調節手段は、
前記下段ブロック及び前記メインフレームの上下貫通孔を通過し、上段が前記上段ブロックに結合され、下段が前記メインフレームの下部に突出する前後調節棒と、前記メインフレームの下部で前記前後調節棒に螺合する前後調節ハンドルと、を含むことを特徴とする請求項１に記載の頭部保持具。
【請求項１４】
前記上段ブロック及び前記下段ブロックが搭載されるメインフレームをさらに含み、
前記下段ブロックは、左側下段ブロックと右側下段ブロックとを含み、
前記メインフレームには、前後方向に貫通形成される前後貫通孔が左右方向に長く形成され、
前記左右調節手段は、
前記メインフレームの前後貫通孔を通過し、前段が前記左側下段ブロック及び前記右側下段ブロックに各々結合され、後段は、前記メインフレームの後方に突出する左右調節棒と、前記メインフレームの後方で前記左右調節棒に螺合する左右調節ハンドルと、を含むことを特徴とする請求項３に記載の頭部保持具。
【請求項１５】
椅子に装着される頭部保持具であって、
頭を支持する上段ブロックと、前記上段ブロックの下部に位置し、首を支持する下段ブロックとを含み、
前記上段ブロック及び前記下段ブロックは、一体形であり、前記頭部保持具は 左側ブロック及び右側ブロックで形成され、
前記左側ブロック及び前記右側ブロックの左右幅を調節する左右調節手段を含む頭部保持具。
【請求項１６】
前記上段ブロックは、使用者の頭が保持されるように前方に凹状に凹部が形成され、
前記下段ブロックは、使用者の首が保持されるように前方に凹状に凹部が形成されることを特徴とする請求項１５に記載の頭部保持具。
【請求項１７】
前記左側ブロックは、左側フレームと、前記左側フレームに結合される緩衝部材とを含み、
前記右側ブロックは、右側フレームと、前記右側フレームに結合される緩衝部材とを含むことを特徴とする請求項１５に記載の頭部保持具。
【請求項１８】
椅子の背もたれの上部に設けられ、首の後方部を支持するように構成された首部保持具であって、
前記首部保持具には、使用者の首が保持されるように前方に凹状に凹部が形成され、
前記首部保持具は 左側ブロック及び右側ブロックが形成され、
前記左側ブロックは、左側フレームと、前記左側フレームに結合される緩衝部材とを含み、
前記右側ブロックは、右側フレームと、前記右側フレームに結合される緩衝部材とを含み、
前記左側ブロック及び前記右側ブロックの左右幅を調節する左右調節手段を含む頭部保持具。
【請求項１９】
前記上段ブロックの前面と前記下段ブロックの前面は、段差を有するように形成され、段差面が設けられることを特徴とする請求項５に記載の頭部保持具。
【請求項２０】
前記上段フレームに上部が結合され、前記下段フレームに下部が結合されるチルト調節手段をさらに含み、
前記チルト調節手段は、前後方に前記上段フレームと前記下段フレームの相対移動が可能であることを特徴とする請求項５に記載の頭部保持具。
【請求項２１】
前記下段ブロックは、右側下段ブロックと左側下段ブロックとを含み、
前記左側下段ブロック及び右側下段ブロックは、左右方向に移動可能であることを特徴とする請求項５に記載の頭部保持具。
【請求項２２】
前記下段フレームに 一部が結合され、前記背もたれ部の上部に 一部が結合されるチルト調節手段をさらに含み、
前記チルト調節手段は、前後方に前記下段フレームと前記背もたれ部の上部の相対移動が可能であることを特徴とする請求項５に記載の頭部保持具。
【請求項２３】
前記下段ブロックは、一部が前記 椅子の背もたれ部の上部に装着される頭部保持具であって、
頭が保持されるように前方に凹状に上段凹部が形成された上段ブロックと、
前記上段ブロックの下部に位置し、首が保持されるように前方に凹状に凹部が形成された下段ブロックと、を含み
上段ブロックより前方に突出し、
前記上段ブロック及び前記下段ブロックは、一体に形成され、
前記下段ブロック及び前記上段ブロックに結合されるメインフレームをさらに含み、
前記上段ブロック及び前記下段ブロックは、前記メインフレームに結合される緩衝部材を有することを特徴とする頭部保持具。
【請求項２４】
前記メインフレームに提供され、前記メインフレームと前記椅子の背もたれ部との間でチルト調節が可能なチルト調節手段をさらに含むことを特徴とする請求項２３に記載の頭部保持具。
【請求項２５】
頭が保持される上段凹部が前方に形成された上段支持部と、
前記上段支持部の下部に位置し、首が保持される下段支持部と、を含み、
前記上段支持部の後方には、後方凹部が形成され、
前記上段凹部が拡張及び収縮可能である頭部保持具。
【請求項２６】
頭が保持される上段凹部が前方に形成された上段支持部と、
前記上段支持部の下部に位置し、首が保持される下段支持部と、を含み、
前記上段支持部には、切欠部が形成され、前記切欠部を中心にして
前記上段支持部には、切欠部が形成され、前記切欠部を中心にして前記上段凹部が 
拡張及び収縮可能であることを特徴とする頭部保持具 。
【請求項２７】
前記上段支持部には、切欠部が形成され、前記切欠部を中心にして前記上段凹部が
拡張及び収縮可能であることを特徴とする請求項２５に記載の頭部保持具 。
【請求項２８】
前記上段支持部の後方には、後方凹部が形成する請求項２６に記載の頭部保持具。
【請求項２９】
前記後方凹部には、エアバッグが結合され、
前記エアバッグの収縮及び膨脹によって、前記後方凹部が収縮及び拡張することを特徴とする請求項２５または２８に記載の頭部保持具。
【請求項３０】
前記上段支持部の前段は、前記上段凹部の左右外側が前記下段支持部の前段より後方に位置することを特徴とする請求項２５または２６に記載の頭部保持具。
【請求項３１】
前記前記緩衝部材は、ラテックスフォーム、メモリーフォーム、ウレタンフォーム、スポンジのうちいずれか１つ以上を含んで形成されることを特徴とする請求項２、４ 、５、１８、２３に記載の頭部保持具。
【請求項３２】
前記上段支持部及び下段支持部は、ラテックスフォーム、メモリーフォーム、ウレタンフォーム、スポンジのうちいずれか１つ以上を含んで形成されることを特徴とする請求項２５または２６に記載の頭部保持具。
【請求項３３】
前記頭部保持具の角度調節が可能にする角度調節手段をさらに含むことを特徴とする請求項２、１５、１７、２３、２５ 、２６に記載の頭部保持具。
【手続補正２】
【補正対象書類名】明細書
【補正対象項目名】０１９１
【補正方法】変更
【補正の内容】
【０１９１】
本実施例による頭部保持具は、上段支持部１００ｂと、前記上段支持部１００ｂの下部に配置される下段支持部２００ｂとを含む。
【手続補正３】
【補正対象書類名】明細書
【補正対象項目名】０１９２
【補正方法】変更
【補正の内容】
【０１９２】
前記上段支持部１００ｂの前方には、人の後頭部の形状と同じように凹状に略半球形の溝が形成された上段凹部１３０ｂが設けられ、後方には、左右方向の中央に行くほど前方に向かって深く溝が形成された後方凹部１４０ｂが設けられる。
【手続補正４】
【補正対象書類名】明細書
【補正対象項目名】０１９３
【補正方法】変更
【補正の内容】
【０１９３】
したがって、前記上段支持部１００ｂは、上部から見た時、中央が前後方向に薄い厚さを有し、左右両端に行くほど前後方向の厚さが大きくなる形状を有する。
【手続補正５】
【補正対象書類名】明細書
【補正対象項目名】０１９４
【補正方法】変更
【補正の内容】
【０１９４】
なお、前記上段支持部１００ｂの左右方向の中央部分には、上段から下方に向かって所定の深さだけ切開された切欠部１５０ｂが形成される。前記切欠部１５０ｂは、前記上段支持部１００ｂを左右方向に中央で所定の深さだけ切断する形状を有する。
【手続補正６】
【補正対象書類名】明細書
【補正対象項目名】０１９５
【補正方法】変更
【補正の内容】
【０１９５】
なお、前記上段支持部１００ｂの下部に位置する下段支持部２００ｂは、前方に略円筒形状の溝で形成された下段凹部２３０ｂを含む。前記下段凹部２３０ｂには、使用者の首が保持、固定され、首が折れ曲がる現象が防止される。
【手続補正７】
【補正対象書類名】明細書
【補正対象項目名】０１９６
【補正方法】変更
【補正の内容】
【０１９６】
前記下段支持部２００ｂの下段凹部２３０ｂの左右外側の前面は、前記上段支持部１００ｂの前記上段凹部１３０ｂ左右外側の前面より前方に位置する。すなわち、前記上段支持部１００ｂの前面が前記下段支持部２００ｂの前面より後退した形状を有する。
【手続補正８】
【補正対象書類名】明細書
【補正対象項目名】０１９７
【補正方法】変更
【補正の内容】
【０１９７】
したがって、前記上段支持部１００ｂと前記下段支持部２００ｂは、前面が段差形状を有するようになり、段差面２４０ｂが形成される。前記段差面２４０ｂは、前方から後方に行くほど斜めに上昇するように傾斜するように形成される。
【手続補正９】
【補正対象書類名】明細書
【補正対象項目名】０１９８
【補正方法】変更
【補正の内容】
【０１９８】
上記のように、前記上段支持部１００ｂと前記下段支持部２００ｂの前面が段差を有するように形成することは、使用者の首が下段凹部２３０ｂに支持され、首が折れ曲がる現象がある程度充分に防止されるので、頭が保持される上段凹部１３０ｂの左右外側を少し切削し、耳を自由にするためのことである。
【手続補正１０】
【補正対象書類名】明細書
【補正対象項目名】０１９９
【補正方法】変更
【補正の内容】
【０１９９】
なお、上記のような上段支持部１００ｂ及び下段支持部２００ｂは、ラテックスフォーム、メモリーフォーム、ウレタンフォーム、スポンジなどの弾性を有する部材を含んでなることが好ましましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【手続補正１１】
【補正対象書類名】明細書
【補正対象項目名】０２０２
【補正方法】変更
【補正の内容】
【０２０２】
図２８は、上記のような構成を有する頭部保持具が椅子１０ｂに装着される様子を示す図である。椅子１０ｂの背もたれ部分の上部に前記頭部保持具を収容することができる収容部１１を形成し、前記収容部１１に前記頭部保持具を保持、結合させることによって、前記頭部保持具を使用可能な形態で配置させることができるようになる。
【手続補正１２】
【補正対象書類名】明細書
【補正対象項目名】０２０４
【補正方法】変更
【補正の内容】
【０２０４】
使用者は、椅子に座って前記下段凹部２３０ｂに首を保持させ、前記上段凹部１３０ｂに頭を保持させる。
【手続補正１３】
【補正対象書類名】明細書
【補正対象項目名】０２０５
【補正方法】変更
【補正の内容】
【０２０５】
これにより、前記下段凹部２３０ｂに保持された首は、自然に支持された状態を維持し、左右または後方に折れ曲がらないようになり、上段凹部１３０ｂに後頭部が保持されることによって、頭が左右に移動しないので、首が折れ曲がる現象を完全に防止することができる。
【手続補正１４】
【補正対象書類名】明細書
【補正対象項目名】０２０６
【補正方法】変更
【補正の内容】
【０２０６】
この際、使用者の頭部形状がさいづち頭の場合、切欠部１５０ｂが存在するので、前記上段凹部１３０ｂが前後に拡張されることができ、使用者の頭が前記上段凹部１３０ｂに正確に保持され、さらに楽な状態で椅子に座ることができ、首が折れ曲がる現象をも防止することができる。
【手続補正１５】
【補正対象書類名】明細書
【補正対象項目名】０２０９
【補正方法】変更
【補正の内容】
【０２０９】
本実施例による頭部保持具は、上段支持部１００ｂと、前記上段支持部１００ｂの下部に配置される下段支持部２００ｂとを含む。
【手続補正１６】
【補正対象書類名】明細書
【補正対象項目名】０２１０
【補正方法】変更
【補正の内容】
【０２１０】
前記上段支持部１００ｂの前方には、人の後頭部の形状と同じように凹状に略半球形の溝が形成された上段凹部１３０ｂが設けられ、後方には、前記上段凹部１３０ｂと対称になる略半球形の溝が形成された後方凹部１４０ｂが設けられる。
【手続補正１７】
【補正対象書類名】明細書
【補正対象項目名】０２１１
【補正方法】変更
【補正の内容】
【０２１１】
したがって、前記上段支持部１００ｂは、上部から見た時、中央が前後方向に薄い厚さを有し、左右両端に行くほど前後方向の厚さが大きくなる形状を有する。
【手続補正１８】
【補正対象書類名】明細書
【補正対象項目名】０２１２
【補正方法】変更
【補正の内容】
【０２１２】
なお、前記上段支持部１００ｂの左右方向の中央部分には、上段から下方に向かって所定深さだけ切開された切欠部１５０ｂが形成される。前記切欠部１５０ｂは、前記上段支持部１００ｂを左右方向に中央で所定深さだけ切断する形状を有する。
【手続補正１９】
【補正対象書類名】明細書
【補正対象項目名】０２１３
【補正方法】変更
【補正の内容】
【０２１３】
なお、前記上段支持部１００ｂの左右方向の中央部分には、上段から下方に向かって所定深さだけ切開された切欠部１５０ｂが形成される。前記切欠部１５０ｂは、前記上段支持部１００ｂを左右方向に中央で所定深さだけ切断する形状を有する。
【手続補正２０】
【補正対象書類名】明細書
【補正対象項目名】０２１４
【補正方法】変更
【補正の内容】
【０２１４】
なお、前記上段支持部１００ｂの下部に位置する下段支持部２００ｂは、前方に略円筒形状の溝で形成された下段凹部２３０ｂを含む。前記下段凹部２３０ｂには、使用者の首が挿入固定され、首が折れ曲がる現象が防止される。
【手続補正２１】
【補正対象書類名】明細書
【補正対象項目名】０２１５
【補正方法】変更
【補正の内容】
【０２１５】
前記下段支持部２００ｂの下段凹部２３０ｂ左右外側の前面は、前記上段支持部１００ｂの前記上段凹部１３０ｂ左右外側の前面より前方に位置する。すなわち、前記上段支持部１００ｂの前面が前記下段支持部２００ｂの前面より後退した形状を有する。
【手続補正２２】
【補正対象書類名】明細書
【補正対象項目名】０２１６
【補正方法】変更
【補正の内容】
【０２１６】
したがって、前記上段支持部１００ｂと前記下段支持部２００ｂは、前面が段差形状を有するようになり、段差面２４０ｂが形成される。前記段差面２４０ｂは、前方から後方に行くほど斜めに上昇するように傾斜するように形成される。
【手続補正２３】
【補正対象書類名】明細書
【補正対象項目名】０２１７
【補正方法】変更
【補正の内容】
【０２１７】
上記のように、前記上段支持部１００ｂと前記下段支持部２００ｂの前面が段差を有するように形成することは、使用者の首が下段凹部２３０ｂに支持され、首が折れ曲がる現象がある程度充分に防止されるので、頭が保持される上段凹部１３０ｂの左右外側を少し切削し、耳を自由にするためのことである。
【手続補正２４】
【補正対象書類名】明細書
【補正対象項目名】０２１８
【補正方法】変更
【補正の内容】
【０２１８】
前記後方凹部１４０ｂには、エアバッグ１６０ｂが配置される。前記エアバッグ１６０ｂは、空気供給手段（図示せず）から空気を供給されて膨脹するか、空気を排出して収縮する構成を有する。
【手続補正２５】
【補正対象書類名】明細書
【補正対象項目名】０２１９
【補正方法】変更
【補正の内容】
【０２１９】
この際、空気供給手段としては、前記エアバッグ１６０ｂの内部に空気を供給することができる手動のゴムポンプまたは自動ポンプなどいずれの手段を使用してもよい。
【手続補正２６】
【補正対象書類名】明細書
【補正対象項目名】０２２０
【補正方法】変更
【補正の内容】
【０２２０】
図３０は、エアバッグ１６０ｂが収縮した状態を示し、 図３１、前記エアバッグ１６０ｂが膨脹した状態を示す。エアバッグ１６０ｂが収縮した状態では、人の頭の重さによって切欠部１５０ｂの左右幅が広くなり、後方に押されるので、頭の径が大きいかまたはさいづち頭の使用者が使用するに適した形態を有する。これに対し、エアバッグ１６０ｂが膨脹した状態では、切欠部１５０ｂの左右幅が狭くなり、後方凹部１４０ｂが元々の形態を維持するので、相対的に頭の径が小さいかまたは後頭部が平たい使用者に適した形態を有する。
【手続補正２７】
【補正対象書類名】明細書
【補正対象項目名】０２２１
【補正方法】変更
【補正の内容】
【０２２１】
なお、前記後方凹部１４０ｂの後方には、隔壁部１７０ｂが位置する。前記隔壁部１７０ｂは、前記上段支持部１００ｂから後方凹部１４０に挿入されたエアバッグが離脱しないように前記後方凹部１４０ｂの後方に別途の硬い板を重ね当てて結合させた部材であってもよい。
【手続補正２８】
【補正対象書類名】明細書
【補正対象項目名】０２２２
【補正方法】変更
【補正の内容】
【０２２２】
なお、上記のような上段支持部１００ｂ及び下段支持部２００ｂは、ラテックスフォーム、メモリーフォーム、ウレタンフォーム、スポンジなどの弾性を有する部材を含んでなることが好ましく、発泡成形方式（Foaming expansion molding system）で製作した後、後加工処理をし、弾性部材の外周面に軟質のポリウレタン樹脂がコーティングされるようにして、水分の浸透を防止し、汚染を防止するようにすることができる。
【手続補正２９】
【補正対象書類名】明細書
【補正対象項目名】０２２６
【補正方法】変更
【補正の内容】
【０２２６】
使用者は、椅子１０ｂに座って前記下段凹部２３０ｂに首を保持させ、前記上段凹部１３０ｂに頭を保持させる。
【手続補正３０】
【補正対象書類名】明細書
【補正対象項目名】０２２７
【補正方法】変更
【補正の内容】
【０２２７】
これにより、前記下段凹部２３０ｂに保持された首は、自然に支持された状態を維持し、左右または後方に折れ曲がらないようになり、上段凹部１３０ｂに後頭部が保持されることによって、頭も左右に移動しないので、首が折れ曲がる現象を完全に防止することができる。
【手続補正３１】
【補正対象書類名】明細書
【補正対象項目名】０２２８
【補正方法】変更
【補正の内容】
【０２２８】
この際、使用者の頭の径が大きいかまたはさいづち頭の場合には、エアバッグ１６０ｂ内部の空気を抜いて、切欠部１５０ｂの左右幅を広げ、後方に押されるようにして、上段凹部１３０ｂの面積を広げることによって、使用者の頭が上段凹部１３０ｂに正確に保持され、楽な状態を維持することができる。
【手続補正３２】
【補正対象書類名】明細書
【補正対象項目名】０２２９
【補正方法】変更
【補正の内容】
【０２２９】
なお、使用者の頭の径が小さいかまたは後頭部が平たい場合には、エアバッグ１６０ｂ内部に空気を満たし、切欠部１５０ｂの左右幅を狭め、後方凹部１４０ｂと上段凹部１３０ｂの形態を元のように維持することによって、使用者の頭が前記上段凹部１３０ｂに正確に保持されるようにする。
【手続補正３３】
【補正対象書類名】明細書
【補正対象項目名】０２３１
【補正方法】変更
【補正の内容】
【０２３１】
なお、エアバッグ１６０ｂを設置した本実施例では、頭部保持具の後方凹部１４０ｂの後方に隔壁部が設けられたことを例示して説明したが、前記頭部保持具には、後方隔壁部が設けられなくてもよく、椅子１０ｂの収容部１１ｂの前面が隔壁部の役目をすることもできる。